(57)【要約】      （修正有）【課題】授業中でも使用可能な静かで、チョークの粉が良く落ちる黒板消しクリーナを提供する。【解決手段】黒板消しの布部２を箱３の中に向けて載置し、箱の中で布部を下から叩き、布の表面の粉を叩き落とし内部からも叩き出す。叩く棒４は例えば複数の直径２ｍｍ程度の金属棒あるいは金属製の網などからなり布表面をほぼ均一に叩く。粉は箱の中で舞うがほとんど外には漏れず短時間で降下するのでトレー６で受ける。【選択図】図１
0003122798.tif 000002
【実用新案登録請求の範囲】
【請求項１】
箱の中で黒板消しの布部分に対し叩く動作を与えることを特徴とする黒板消しクリーナ。
【請求項２】
前記黒板消しの布部分をほぼ下向き置くことを特徴とする請求項１記載の黒板消しクリーナ。
【請求項３】
前記黒板消しは、箱の上部で少なくとも布部分をほぼ下向きに箱の中に向けて置き、黒板消しの台部が箱の内部に曝されないことを特徴とする請求項１記載の黒板消しクリーナ。
【請求項４】
前記黒板消しの台部と布部との間にある段差あるいは台部にある突起を利用して黒板消しを布部を下向きに置く事を特徴とする請求項１、２又は３記載の黒板消しクリーナ。
【請求項５】
前記黒板消しの布部分を、細い複数の棒あるいは格子状のもので叩くことを特徴とする請求項１、２、３、又は４記載の黒板消しクリーナ。
【考案の詳細な説明】
【技術分野】
【０００１】  この考案は、黒板消しのクリーナに関する。
【背景技術】
【０００２】  従来の黒板消しクリーナのほとんどは図６に示す様に真空掃除機を利用して黒板消し布部表面のチョークの粉を吸い取るものである。その形状はほぼ直方体で上部にスリット状の穴１７があり、そこに黒板消しの布部分を押し当て、真空掃除機の作用でその穴からチョークの粉を吸い取り、更に手動で黒板消しを穴の上を擦るように動かし布面全体の粉を吸い取ることを狙ったものである。
【実用新案登録文献１】
実用新案公開平５−２６４９２
【特許文献１】特許公開２００１−６１７５９
【考案の開示】
【考案が解決しようとする課題】
【０００３】  しかしながら、以上の技術によれば、黒板消しの布部分でスリットを塞ぐので空気の流れが殆ど止まり、原理的に吸引されないことになり長時間吸引させても粉が良く落ちないという欠点があった。しかもすぐフィルタにチョークの粉が詰まるので更に吸引性能が落ちるという欠点があった。この結果従来の黒板消しの周囲はチョークの粉で汚れやすかった。又真空掃除機を用いるので騒音が大きいという問題もあった。
そこで、この考案は、授業中でも使用可能な静かで、チョークの粉が良く落ちる黒板消しクリーナを提供することを課題とする。
【課題を解決するための手段】
【０００４】  以上の課題を解決するために、第一考案は、箱の中で布面を積極的に叩くことを特徴とする黒板消しクリーナである。
また、又第二考案は前記黒板消しの布部分を下向きに置く事を特徴とする黒板消しクリーナである。
また第三考案は少なくとも前記黒板消しの布部分だけを箱の中にほぼ下向きになるよう載置したことを特徴とする黒板消しクリーナである。
また第四考案は上記黒板消しを黒板消しの凹み又は突起を利用して上記の様に裁置することを特徴とする黒板消しクリーナである。
また、第五考案は複数の棒状のものまたは格子状のもので叩く事を特徴とする黒板消しクリーナである。
【考案の効果】
【０００５】  第一考案によれば、積極的に叩く動作を与えるので黒板消し布部表面のチョークの粉が良く落ちるだけでなく、布部内部の粉も叩き出されるので黒板消し全体をクリーニングすることが出来る。叩く動作は箱の中で行われるので叩く動作で出たチョークの粉は箱の中で舞うだけであり、しかも舞っても短時間で落下し、箱底部に置かれたトレーに降り積もるので部屋の空気を汚すことが無い。
又第二考案によれば布面が下向きなので叩き落とすあるいは叩き出した粉が布面に再付着することが少ない。
又第三考案によれば少なくとも布部分だけを箱の中に入れる構造なので舞った粉が黒板消しの台部に付着して取り出して使う時手を汚すことが無い。【０００６】  又第四考案により黒板消しの布部分を下向きに箱の中に向け、台部を箱の外に出し箱の中の舞った粉が台部に付着するのを防ぎつつ、蓋に取り付けられた押さえによりしっかりと黒板消しをクリーナに裁置することが出来る。蓋は叩く動作の時は箱本体に図示しないが固定されることはもちろんである。
又第五考案によれば複数の細い棒ないし格子状のもので叩くので布面が均一にしかも早くきれいになる。又細い棒は面圧が高くなるので布の中の粉までたたき出す効果が有る。棒あるいは格子状のものが細いとその表面に着いたチョークの粉が布面に再付着する量が少なくなり、布表面がきれいになる。
又第一〜第五考案とも従来の黒板消しクリーナの様に布部分を細いスリット状の口に当てて擦るという動作が無いので、布が傷むことがなく黒板消しクリーナが長持ちするという利点がある。
【考案を実施するための最良の形態】
【０００７】  この考案の一実施形態を図１、図２に示す。
黒板消しは箱３の上面に台部分１を上に、布部分２を下にして支持板１０の上に載置される。支持板１０は図２に示す様に台部分１と布部分２との間の凹みあるいは台部分にある凸部分を利用して黒板消しを支える。台部分１は蓋に取り付けられた押さえ９で下に押し付けられしっかりと箱に固定される。押さえ９の先端にはフェルト等のクッション材を付加することが望ましい。布面に対し下から複数の細い金属の叩き棒あるいは針金で格子状にしたもの４がソレノイド５で駆動されて回転軸７を中心とする回転運動をし布部分２を叩く動作をし、チョークの粉を布の表面から落とし、内部からも叩き出す。
チョークの粉は一般には重いので大半はすぐ下のトレー６に落ち、細かい粉はしばらくは舞うがこれも短時間の後にトレーに落ちる。ソレノイド５に流す電流の強さや周期、回数を適切に選ぶことによりクリーニングに最適な状態にすることが出来る。
左右の支持板を可動としてその間隔を可変としても良い。【０００８】  又棒あるいは格子状のもの４の例として図５に金属製の網を示すが、枠の部分の線の太さ太くても良いが布部分２に当たる金属線の太さは２ｍｍ以下が適切である。
図１に簡単に示しているが自動の場合ソレノイドなどの機構部分には粉が入らないような仕切１９を設けることが望ましい。又図示しないが黒板消しの有無を検出し有の時だけ、又は蓋８の開閉を検出し蓋が閉の時だけ叩く動作をすることが安全上望ましい。【０００９】「実施形態の効果」
この実施形態によれば、布の表面だけでなく布の中の粉まで積極的に叩き出す効果があるので極めて短時間のうちに通常の使用には十分なレベルまでクリーニングが出来る。
図１のソレノイドに無音ソレノイドと言われるタイプを使用することで通常のソレノイドが出す金属同士が衝突する衝撃音はなく、現在の黒板消しクリーナが内蔵する真空掃除機用モータの高速回転時の不快な高周波音も発生しない。
発生する音は主として叩き棒あるいは格子４が布２に当たる音であるが、布に対する衝突速度を押さえ過度に早くならないよう適切な値に設定することにより快適な音となる。
特に図３に示す手動機は強さや早さに手加減を加える事が出来るので音は特に静かに出来る。【００１０】「他の実施形態」
図１の実施形態では叩く棒あるいは格子状のもの４の駆動機構は回転軸を持つメカニズムとし、駆動源はソレノイドとしたが、他の実施形態では、手動でも勿論良い。図３に手動の場合の例を示す。手動用レバー１３を上下させればよい。電源のない所に設置する場合はこの方式が適切である。粉の状態をあらかじめ見て叩く強さや早さなどを扱う人が自分で決められるという利点もある。【００１１】  又図４の様に叩く棒の上下機構に上下スライダ１４を設けたものでも良い。
又図４の様にこの上下スライダー１４に回転動作を直線運動に変換する機構１５を加えれば駆動源としてソレノイドの代わりにモータ１６を用いた機構でもよい事は勿論である。
図１の実施形態では、黒板消しを布部分だけ箱の中に入るように載置し、台の部分を上から蓋で抑えたが他の実施形態では図示しないが蓋を取り除き台の部分を直接手で抑えても良い。
図１は舞った粉はトレーのみで受けているが、箱の中に軽く送風あるいは吸引することで舞っている細かい粉をすばやくフィルタに送り込むことが可能なのはもちろんである。
【図面の簡単な説明】
【００１２】
【図１】この考案の一実施形態を示す正面図である。
【図２】この考案の一実施形態を示す側面図である。
【図３】この考案の他の一実施形態を示す正面図である。
【図４】この考案の他の一実施形態を示す正面図である。
【図５】叩き部４の黒板消し布部に当たるところの図で金属網の例である。
【図６】従来技術を示す図である。
【符号の説明】
【００１３】  １  黒板消し台部      ２  黒板消し布部      ３  箱
４  棒又は網又は格子状の叩き部      ５  ソレノイド      ６  トレー
７  回転軸      ８  蓋      ９  押さえ      １０  支持板
１１  黒板消し突起      １２  蓋開閉用回転軸      １３  手動用レバー
１４  上下スライダ      １５  回転運動直線運動変換機構      １６  モータ
１７  従来製品のスリット      １８  従来製品の真空系      １９  仕切り
【図１】
0003122798.tif 000003
【図２】
0003122798.tif 000004
【図３】
0003122798.tif 000005
【図４】
0003122798.tif 000006
【図５】
0003122798.tif 000007
【図６】
0003122798.tif 000008
【手続補正書】
【提出日】平成18年3月30日(2006.3.30)
【手続補正１】
【補正対象書類名】実用新案登録請求の範囲
【補正対象項目名】全文
【補正方法】変更
【補正の内容】
【実用新案登録請求の範囲】
【請求項１】
箱の上面の一部に開口部があり、開口部の下に位置させた叩き部を開口部から離れた部分で水平の回転軸に取付け、叩き部の開口部から離れた末端に部材を介して駆動用ソレノイドを連結したこと、あるいは前記末端に箱の外に出る手動用レバを設けたことを特徴とする黒板消しクリーナ。
【請求項２】
箱の上部に開閉可能な蓋を設け、前記蓋に黒板消しの台部分を下向きに押す押さえを設けたことを特徴とする請求項１記載の黒板消しクリーナ。
【請求項３】
上記箱の開口部を形成する４辺のうち少なくとも一対の対向する２辺の上部からそれぞれ開口部の中に向かって張り出した支持板を設けたことを特徴とする請求項１及び２記載の黒板消しクリーナ。
【請求項４】
黒板消しの台部と布部との間にある段差あるいは台部にある突起を利用して黒板消しを布部を下向きに置くことを特徴とする請求項１、２及び３記載の黒板消しクリーナ
【請求項５】
前記叩き部は細い複数の棒あるいは格子状のものからなる請求項１、２、３及び４記載の黒板消しクリーナ